(57)【要約】      （修正有）【課題】大量生産が容易で、個人の遺伝子情報を必要に応じて何時でも取り出すことができ、また死後に遺伝子の確認ができる遺伝子情報保存ＩＣカードを提供する。【解決手段】個人の遺伝子情報を記憶したＩＣチップと、これに接続するループアンテナ３を内蔵したＩＣカードのカード本体１Ａに、上下に貫通する貫通孔４を形成し、ここに毛髪５を収納する収納部６を形成し、この収納部６の上下に、上面中央部分に着色部１３を形成し、下面に中央部分を除いて接着剤層１４を形成したシール７を貼付して収納部を密閉したものである。【選択図】図２
0003207447.tif 000002
【実用新案登録請求の範囲】
【請求項１】
個人の遺伝子情報を記憶したＩＣチップを内蔵したＩＣカードのカード本体に、上下に貫通する貫通孔を形成し、ここに毛髪や爪または皮膚若しくは骨を収納する収納部を形成し、この収納部の上下に、シールを貼付して収納部を密閉したことを特徴とする遺伝子情報保存ＩＣカード。
【請求項２】
シールの上面中央部分に着色部を形成し、シールの下面に中央部分を除いて接着剤層を形成したことを特徴とする請求項１記載の遺伝子情報保存ＩＣカード。
【請求項３】
請求項１または２記載の遺伝子情報保存ＩＣカードに、更にカード本体の表面に、所有者の識別番号や氏名を記録したバーコードもしくは二次元コードを形成したことを特徴とする遺伝子情報保存ＩＣカード。
【考案の詳細な説明】
【技術分野】
【０００１】
本考案は、個人の遺伝子情報を保存したＩＣカードに関するものである。
【背景技術】
【０００２】
近年、遺伝子情報が個人の特定や親子関係の特定に利用されるようになってきた。個人が生きている間には口腔内の粘膜や毛髪から容易に遺伝子情報が得られるが、これらの情報は一般に書面に記載され、必要とする時まで保管されている。
【０００３】
しかしながら、外出先などで遺伝子情報などが必要になった場合などに直ぐに取り出せず、また死亡した後に、書面に記載された遺伝子情報が本当に本人のものであるか再確認する手段がない問題があった。
【０００４】
このため、本考案者は先に、個人の情報を記憶したＩＣチップを内蔵したカードに凹溝部を形成し、この凹溝部を、毛髪を収納する毛髪収納部とし、この開口部分を蓋部またはシールで塞いで密閉した毛髪保存ＩＣカード（特許文献１）を開発した。しかしながらこの毛髪保存ＩＣカードは、毛髪収納部がカードに凹溝部を形成した構造であるため、製造が面倒で大量に生産する上で作業性が悪かった。
【先行技術文献】
【特許文献】
【０００５】
【特許文献１】実用新案登録第３１９５１８５号
【考案の概要】
【考案が解決しようとする課題】
【０００６】
本考案は上記問題を改善し、大量生産が容易で、個人の遺伝子情報を必要に応じて何時でも取り出すことができ、また死後に遺伝子の確認ができる遺伝子情報保存ＩＣカードを提供するものである。
【課題を解決するための手段】
【０００７】
本考案の請求項１記載の遺伝子情報保存ＩＣカードは、個人の遺伝子情報を記憶したＩＣチップを内蔵したＩＣカードのカード本体に、上下に貫通する貫通孔を形成し、ここに毛髪や爪または皮膚若しくは骨を収納する収納部を形成し、この収納部の上下に、シールを貼付して収納部を密閉したことを特徴とするものである。
【０００８】
本考案の請求項２記載の遺伝子情報保存ＩＣカードは、請求項１において、シールの上面中央部分に着色部を形成し、シールの下面に中央部分を除いて接着剤層を形成したことを特徴とするものである。
【０００９】
本考案の請求項３記載の遺伝子情報保存ＩＣカードは、請求項１または２記載の遺伝子情報保存ＩＣカードに、更にカード本体の表面に、所有者の識別番号や氏名を記録したバーコードもしくは二次元コードを形成したことを特徴とするものである。
【考案の効果】
【００１０】
本考案に係る請求項１記載の遺伝子情報保存ＩＣカードによれば、この所有者が遺伝子情報保存ＩＣカードを持って外出し、外出先で事故にあって怪我をした時などに、メモリー部に保存してある所有者の氏名や生年月日、住所、経歴、血液型、体質情報、病歴、健康診断情報などの個人データを取り出して的確、迅速に対応することができる。また死亡した後に、親子関係などの確認のために保存されている毛髪や爪または皮膚若しくは骨から遺伝子情報を取り出して、正確な遺伝子情報の確認を行なうことができる。また将来、遺伝子解析技術が進歩した時には、家族の病気予防につながることも期待できる。
【００１１】
更にＩＣカードのカード本体に貫通孔を形成し、ここに収納部を形成し、この収納部にシールを貼付して密閉するので収納部の作成が容易で大量生産が可能で作業性に優れている。
【００１２】
また請求項２記載の遺伝子情報保存ＩＣカードによれば、収納部を形成するシールの上面中央部分に着色部を形成し、シールの下面に中央部分を除いて接着剤層を形成したので、収納部の作成が容易で、毛髪などを長期間に亘って保持することができる。
【００１３】
また請求項３記載の遺伝子情報保存ＩＣカードによれば、カード本体の表面に、識別番号や氏名を記録したバーコードもしくは二次元コードを形成したので、ＩＣカード作成機関でＩＣカードを再発行する時に便利である。
【図面の簡単な説明】
【００１４】
【図１】本考案の実施の一形態による遺伝子情報保存ＩＣカードの表面図である。
【図２】図１の遺伝子情報保存ＩＣカードの縦断面図である。
【図３】図１に示す遺伝子情報保存ＩＣカードの裏面水平断面ある。
【図４】シールを示す縦断面図である。
【図５】剥離フイルムにシールを貼付した状態を示す縦断面図である。
【図６】図５の表面図である。
【図７】本考案の他の実施の形態による遺伝子情報保存ＩＣカードの裏面図である。
【考案を実施するための最良の形態】
【００１５】
以下本考案の実施の一形態を図１ないし図６を参照して詳細に説明する。図において１は遺伝子情報保存ＩＣカードを示すもので、これは個人の遺伝子情報を記憶したＩＣチップ２と、これに接続するループアンテナ３が内蔵されている。このＩＣカード１のカード本体１Ａに、上下に貫通する貫通孔４を形成し、ここに毛髪５を収納する収納部６が形成されている。この収納部６の上下のカード本体１Ａの表面に、透明なシール７を貼付して内部を密閉している。
【００１６】
前記ＩＣチップ２は図３に示すように個人の情報を記憶するメモリー部８と、マイクロプロセッサ部９と、データ入出力部１０とから構成され、このデータ入出力部１０はデータの受信発信を行なうループアンテナ３に接続されている。
【００１７】
また前記シール７は、図４に示すように、透明な四角形のプラスチックフィルムで形成され、裏面中央部分に貫通孔４とほぼ同形の円形の薄く着色した着色部１３が形成され、この周囲を囲むように中央部分を除いて接着剤層１４が形成されている。このシール７は図５および図６に示すように、円形の孔１５が等間隔で形成された剥離フイルム１６の上に横方向に連続して貼付されている。
【００１８】
遺伝子情報保存ＩＣカード１を作成する場合は、ＩＣカード作成機関で予め所有者個人の粘膜や毛髪５から遺伝子解析して、その情報をパーソナルコンピュータに入力しておく。また遺伝子情報の他に、所有者の氏名や生年月日、住所、経歴、血液型、体質情報、病歴、健康診断情報などの個人データを入力しておく。また記念写真や記念映像などの画像データを入力しても良い。
【００１９】
次にデータを保存したパーソナルコンピュータに、ＩＣカードリーダーライタを接続してから、ここに遺伝子情報保存ＩＣカード１を挿入する。次にパーソナルコンピュータからＩＣカードリーダーライタに遺伝子情報などの個人情報のデータを送り、ここから遺伝子情報保存ＩＣカード１に、ループアンテナ３から無線でデータを送る。
【００２０】
遺伝子情報保存ＩＣカード１に送られたデータは、図３に示すようにマイクロプロセッサ部９で処理されて個人データはメモリー部８の個人データメモリー部に記録され、画像データは画像データメモリー部に記録される。
【００２１】
次にカード本体１Ａに内蔵するＩＣチップ２とループアンテナ３を避けて円形の貫通孔４を開孔し、その底面に、剥離フイルム１６から剥したシール７を円形の着色部１３を貫通孔４に合わせて接着し、収納部６を形成する。次にこの収納部６に短く切った所有者個人の毛髪５を入れ、収納部６の上面にシール７を円形の着色部１３を貫通孔４に合わせて接着して完成する。従って剥離フイルム１６から順次シール７を剥してカード本体１Ａに貼付するだけなので、作業性が良く大量生産することができる。
【００２２】
上記構成の遺伝子情報保存ＩＣカード１を、所有者が外出時に持ち歩き、外出先で事故にあって怪我をした時などに、ＩＣカードリーダーライタに挿着してパーソナルコンピュータでメモリー部８に記録されている所有者の氏名や住所、血液型、病歴などの個人データを読み出し、的確、迅速に対応することができる。
【００２３】
また所有者が死亡した後に、親子関係などの確認のためにデータ化された遺伝子情報を取り出せると共に、収納部６に毛髪５が保存されているので、これから正確な遺伝子情報の再確認を行なうことができる。また将来、遺伝子解析技術が進歩した時には、家族の病気予防につながることも期待できる。またシール７の着色部１３は薄く着色して内部の毛髪５が見えるので、外部から確認することができる。
【００２４】
図７は本考案の他の実施の形態を示すもので、遺伝子情報保存ＩＣカード１の裏面に、識別番号や氏名を記録したバーコード１７と二次元コード１８を形成し、ＩＣカード作成機関で遺伝子情報保存ＩＣカード１を再発行する時に有効である。更に表面に所有者の顔写真を貼付しても良い。
【００２５】
なお上記説明では収納部６に毛髪５を収納した場合について示したが、爪や皮膚または細かく粉砕した骨を収納しても良い。また上記説明ではＩＣカードリーダーライタをパーソナルコンピュータに接続してデータを表示させる場合について示したが、スマートフォーンやタブレット端末に接続してデータを表示させても良い。またシール７の着色部１３は濃く着色して内部が見えないようにしても良く、またシール７全体を着色したものでも良い。収納部６は円形に限らず、四角形や六価形などの多角形でも良い。またＩＣカードはループアンテナを内蔵した非接触型に限らず接触型でも良い。
【符号の説明】
【００２６】
１    遺伝子情報保存ＩＣカード      
１Ａ  カード本体                                            
２    ＩＣチップ                                            
３    ループアンテナ                                        
４    貫通孔                                                
５    毛髪                                                  
６    収納部                                                
７    シール                                                
８    メモリー部                                            
９    マイクロプロセッサ部                                  
１０  データ入出力部                                        
１３  着色部                                                
１４  接着剤層      
１５  円形の孔        
１６  剥離フイルム  
１８  バーコード  
１９  二次元コード  
【図１】
0003207447.tif 000003
【図２】
0003207447.tif 000004
【図３】
0003207447.tif 000005
【図４】
0003207447.tif 000006
【図５】
0003207447.tif 000007
【図６】
0003207447.tif 000008
【図７】
0003207447.tif 000009